(57)【特許請求の範囲】
【請求項１】
ベース台、ジョイスティック台、ジョイスティック、復帰バネ、第１連動部材、第２連動部材、押しキースイッチ、ケース体、金属固定枠、第１電気部品及び第２電気部品を含み、
前記ベース台は、底壁、底壁の縁部から上向きに延びて形成される前側壁、後側壁、左側壁及び右側壁を含み、
前記第１連動部材及び第２連動部材は、いずれもベース台上に回動可能に取り付けられ、
前記第２連動部材は、第１連動部材の下方に位置するとともに、第１連動部材に対して直交する方向に配置され、
前記第１連動部材は、上向きに湾曲するアーチ状に形成され、長手方向に沿ってスリット孔が形成され、
前記第２連動部材には、長い溝が設置され、
前記ジョイスティック台は、ベース台上に移動可能に設置され、
前記ジョイスティックは、ジョイスティック台上に設置され、下方から上方へ前記長い溝及び前記スリット孔を順に貫通し、
前記ケース体は、前記ベース台上に取り付けられ、
前記ケース体の軸方向には、ジョイスティックが突出するための第１貫通孔が設置される新型ゲームジョイスティックスイッチであって、
前記金属固定枠は、本体と、本体の、第１貫通孔に対向する位置に設置されてジョイスティックが突出するための第２貫通孔と、本体の４隅に設置される４つのピン及び４つのサイド脚部と、本体及びサイド脚部から形成される収納空間とを含み、
前記ケース体及びベース台は、いずれも前記収納空間に収容され、
前記ベース台の４つのコーナーには、位置決め孔がそれぞれ上向きに設置され、
前記ケース体の、位置決め孔に対応する位置には、位置決め孔に嵌合する位置決め柱が下向きに設置され、
前記ケース体及びベース台は、位置決め柱及び位置決め孔により位置決めして連結され、
前記ケース体の外側には前記金属固定枠が連結され、前記サイド脚部によって前記ケース体及び前記ベース台が固定され、
前記ベース台には、第１取付溝及び第２取付溝が設置され、
前記ケース体には、前記第１取付溝及び第２取付溝のそれぞれに対応する溝が設置され、
前記第１電気部品は、カーボンフィルムポテンショメータであり、第１基板及び第１ローターを含み、
前記第１ローターは、前記第１連動部材の第１エクステンションアームに取り付けられ、
前記第２電気部品は、カーボンフィルムポテンショメータであり、第２基板及び第２ローターを含み、
前記第２ローターは、前記第２連動部材のアーム部に取り付けられ、
前記第１電気部品及び第２電気部品は、それぞれ前記ベース台の第１取付溝及び第２取付溝内、及び、前記ケース体の前記第１取付溝及び第２取付溝のそれぞれに対応する溝内に挿着されて、いずれもベース台上に設置されてケース体内に位置することを特徴とする新型ゲームジョイスティックスイッチ。
【請求項２】
前記左側壁から、収容空間が外向きに延出して形成され、
前記押しキースイッチは、収容空間内に取り付けられ、
前記押しキースイッチ及びベース台は、独立して又は一体的に設けられることを特徴とする請求項１に記載の新型ゲームジョイスティックスイッチ。
【請求項３】
前記ジョイスティック台には、凹溝が設置され、
前記ジョイスティックには、収容室が設置され、
前記復帰バネは、凹溝と収容室との間に設置されることを特徴とする請求項２に記載の新型ゲームジョイスティックスイッチ。
【請求項４】
前記ベース台上には、第１支持部及び第２支持部が設置され、
前記第１連動部材の両端縁から、第１エクステンションアーム及び第２エクステンションアームがそれぞれ外向きに延出して形成され、
前記第１連動部材の一端の下縁部は第１支持部に当接し、第２エクステンションアームは第２支持部に当接することを特徴とする請求項３に記載の新型ゲームジョイスティックスイッチ。
【請求項５】
前記ベース台上には、第３支持部が設置され、
前記第２連動部材の縦方向の一側壁から接触部が外向きに延出して形成され、他の側壁からボスが外向きに延出して形成され、
前記ボスは、第３支持部に当接し、
前記接触部は、押しキースイッチの上方に位置することを特徴とする請求項４に記載の新型ゲームジョイスティックスイッチ。
【請求項６】
前記ジョイスティック台は逆Ｔ字状に形成され、底板と、底板の中央位置から上向きに延びて形成される軸部とを含み、
前記底板から、周方向に肩部が上向きに延出して形成され、
前記肩部と軸部との間には、前記凹溝が形成され、
前記ジョイスティックには、軸孔が設置され、
前記軸部は、軸孔内に挿入され、
前記ジョイスティックの底端面から、前記収容室が上方側に窪んで形成されることを特徴とする請求項３に記載の新型ゲームジョイスティックスイッチ。
【請求項７】
前記第２連動部材の横方向の両側壁には、貫通溝が穿設され、
前記ジョイスティックの対向する２側壁のそれぞれには、軸支持部が外方に向かって凸となって形成され、
前記軸支持部は、上下両端が同一半径の円弧状構造に形成され、貫通溝に係合して連結されることを特徴とする請求項１に記載の新型ゲームジョイスティックスイッチ。
【発明の詳細な説明】
【技術分野】
【０００１】
本発明は、ジョイスティックスイッチ分野に関し、特に、新型ゲームジョイスティックスイッチに関する。
【背景技術】
【０００２】
生活水準の向上に伴い、人々の趣味は多彩となりつつある。娯楽、知識の啓発、感情的知能の育成、レジャー活動機能を一体化した電子ゲーム機はますます大衆に親しまれてきている。ゲームジョイスティックスイッチは電子ゲーム機の重要な構成部品として、人々が電子ゲームを体験するための重要な部品となっている。
【０００３】
従来技術では、ゲームジョイスティックスイッチは、通常、枠体と、枠体に架設されて回動可能に取り付けられる第１連動部材と、第１連動部材の縦方向と直交する方向に沿って延びるとともに枠体に架設されて回動可能に取り付けられる第２連動部材と、先端が枠体から突出して傾動可能なジョイスティックと、ジョイスティックの軸心方向に移動可能に設置されるジョイスティック台と、枠体の下部に設置されるベース台とを含む。また、通常、ジョイスティックとジョイスティック台との間には、ジョイスティックの戻し操作に用いられる復帰バネが設置され、電気部品が前記ケース体に取り付けられる。
【０００４】
しかし、このようなゲームジョイスティックスイッチには以下のような欠陥がある。第一に、科学技術の発展に伴い、人々のゲームジョイスティックスイッチに要求する精度が高くなってきたが、従来のスイッチでは、復帰バネがジョイスティックに当接して復帰バネの弾性が良くないため、ジョイスティックを十分に戻すことができず、ジョイスティックスイッチの操作精度が低くなる。第二に、電気部品をケース体に取り付けて枠体の外部に位置させることで、電気部品が全体から大幅に突出する。このため、製品のサイズが大きくなり、製品の小型化の開発を妨げるようになる。第三に、係止部材と係止孔との係止によってベース台及びケース体を係合固定するが、両者を堅固に締付けることができないほか、部品点数が多くて、構造が複雑になるとともに、取り付けが面倒である。
【発明の概要】
【発明が解決しようとする課題】
【０００５】
上記問題を解決するために、本発明は、各部品を堅固に締付け、製品を小型化し、操作精度が高く、部品点数が少なく、構造が簡単で取付けが容易にできる新型ゲームジョイスティックスイッチを提供する。
【課題を解決するための手段】
【０００６】
上記目的を達成するために、本発明の一実施形態に係る新型ゲームジョイスティックスイッチは、ベース台、ジョイスティック台、ジョイスティック、復帰バネ、第１連動部材、第２連動部材、押しキースイッチ、ケース体、第１電気部品及び第２電気部品を含む。前記ベース台は、底壁、底壁の縁部から上向きに延びて形成される前側壁、後側壁、左側壁及び右側壁を含む。前記第１連動部材及び第２連動部材は、いずれもベース台上に回動可能に取り付けられる。前記第２連動部材は、第１連動部材の下方に位置するとともに、第１連動部材に対して直交する方向に配置される。前記第１連動部材は、上向きに湾曲するアーチ状に形成され、長手方向に沿ってスリット孔が形成される。前記第２連動部材には、長い溝が設置される。前記ジョイスティック台は、ベース台上に移動可能に設置される。前記ジョイスティックは、ジョイスティック台上に設置され、下方から上方へ長い溝及びスリット孔を順に貫通する。前記ケース体は、ベース台上に取り付けられる。前記ケース体の軸方向には、ジョイスティックが突出するための第１貫通孔が設置される。前記ケース体の外側には、金属固定枠がリベットで連結される。前記金属固定枠は、本体と、本体の、第１貫通孔に対向する位置に設置されてジョイスティックが突出するための第２貫通孔と、本体の４隅に設置される４つのピン及び４つのサイド脚部と、本体及びサイド脚部から形成される収納空間とを含む。前記ケース体及びベース台は、いずれも前記収納空間に収容される。前記ベース台の４つのコーナーには、位置決め孔がそれぞれ上向きに設置される。前記ケース体の、位置決め孔に対応する位置には、位置決め孔に嵌合する位置決め柱が下向きに設置される。前記ケース体及びベース台は、位置決め柱及び位置決め孔により位置決めして連結される。前記第１電気部品及び第２電気部品は、いずれもベース台上に設置されてケース体内に位置する。
【０００７】
一実施形態では、前記左側壁から、収容空間が外向きに延出して形成される。前記押しキースイッチは、収容空間内に取り付けられる。前記押しキースイッチ及びベース台は、独立して又は一体的に設けられる。
【０００８】
一実施形態では、前記ジョイスティック台には、凹溝が設置される。前記ジョイスティックには、収容室が設置される。前記復帰バネは、凹溝と収容室との間に設置される。
【０００９】
一実施形態では、前記ベース台上には、第１支持部及び第２支持部が設置される。前記第１連動部材の両端縁から、第１エクステンションアーム及び第２エクステンションアームエクステンションアームがそれぞれ外向きに延出して形成される。前記第１連動部材の一端の下縁部は第１支持部に当接し、第２エクステンションアームは第２支持部に当接する。
【００１０】
一実施形態では、前記ベース台上には、第３支持部が設置される。前記第２連動部材の縦方向の一側壁から接触部が外向きに延出して形成され、他の側壁からボスが外向きに延出して形成される。前記ボスは、第３支持部に当接する。前記接触部は、押しキースイッチの上方に位置する。
【００１１】
一実施形態では、前記ベース台には、第１取付溝及び第２取付溝が設置される。前記第１電気部品及び第２電気部品は、それぞれ第１取付溝及び第２取付溝内に挿着される。
【００１２】
一実施形態では、前記ジョイスティック台は逆Ｔ字状に形成され、底板と、底板の中央位置から上向きに延びて形成される軸部とを含む。前記底板から、周方向に肩部が上向きに延出して形成される。前記肩部と軸部との間には、前記凹溝が形成される。前記ジョイスティックには、軸孔が設置される。前記軸部は、軸孔内に挿入される。前記ジョイスティックの底端面から、前記収容室が上方側に窪んで形成される。
【００１３】
一実施形態では、前記第２連動部材の横方向の両側壁には、貫通溝が穿設される。前記ジョイスティックの対向する２側壁のそれぞれには、軸支持部が外方に向かって凸となって形成される。前記軸支持部は、上下両端が同一半径の円弧状構造に形成され、貫通溝に係合して連結される。
【００１４】
一実施形態では、前記第１電気部品は、カーボンフィルムポテンショメータであり、第１基板及び第１ローターを含む。前記第１基板は、ケース体内に位置する。前記第１ローターは、第１エクステンションアームに取り付けられる。前記第２電気部品は、カーボンフィルムポテンショメータであり、第２基板及び第２ローターを含む。前記第２基板は、ケース体内に位置する。前記ボスから、アーム部が外向きに延出して形成される。前記第２ローターは、アーム部に取り付けられる。
【発明の効果】
【００１５】
本発明は以下の顕著な効果を奏する。
１．ケース体の外側に金属固定枠をリベットで連結することでケース体及びベース台を収容し、４つのサイド脚部によるリベット固定で両者を強固に締結することができ、ベース台及びケース体のサイズをより小さくして製品の小型化を実現する。さらに、ケース体及びベース台のコーナーに位置決め柱及び位置決め孔をそれぞれ設置し、位置決め柱及び位置決め孔により、ケース体とベース台との的確な位置決め連結を実現する。係止孔や係止部材を増設する必要がないため、製品の構造をコンパクトにし、製品の小型化を実現する。ＰＣＢ基板に溶接可能な４つのピンを金属固定枠にさらに設置することで、ジョイスティックスイッチをＰＣＢ基板上に強固に固定させ、製品の各部品を強固に締結する。
２．左側壁から外向きに延出した収容空間を形成し、押しキースイッチを収容空間内に取り付け、押しキースイッチ及びベース台を一体的に設けることが可能であるため、１つの部品として設計することで、部品点数を減らして生産工程を簡略化することができ、その結果、本発明の取り付けを容易にし、構造全体をコンパクトに構成することができる。
３．ジョイスティック台に凹溝を設置し、ジョイスティックに収容室を設置し、復帰バネを凹溝と収容室との間に設置し、一部の電気部品の内蔵化を実現し、復帰バネの弾性を良好にし、操作精度を向上させ、製品の小型化をさらに実現することができる。
４．第１電気部品及び第２電気部品をそれぞれベース台に設置してケース体内に位置させることで、本発明の取り付けを容易にし、構造全体をコンパクトに構成し、製品の小型化をさらに実現することができる。
【図面の簡単な説明】
【００１６】
【図１】本発明の好適な実施形態に係る新型ゲームジョイスティックスイッチを示す斜視図である。
【図２】本発明の好適な実施形態に係る新型ゲームジョイスティックスイッチを示す分解図である。
【図３】本発明の好適な実施形態に係る新型ゲームジョイスティックスイッチを示す分解斜視図である。
【図４】本発明の好適な実施形態に係る新型ゲームジョイスティックスイッチを示す断面図である。
【図５】図４で示される新型ゲームジョイスティックスイッチを別の角度から見た場合の断面図である。
【図６】本発明の好適な実施形態のベース台の概略構成図である。
【図７】本発明の好適な実施形態のケース体の概略構成図である。
【図８】本発明の好適な実施形態の金属固定枠の概略構成図である。
【図９】本発明の好適な実施形態の第１連動部材の概略構成図である。
【図１０】本発明の好適な実施形態の第２連動部材の概略構成図である。
【図１１】本発明の好適な実施形態のジョイスティック台の概略構成図である。
【図１２】本発明の好適な実施形態のジョイスティックの概略構成図である。
【発明を実施するための形態】
【００１７】
以下、本発明について、図面を参照しながら詳しく説明する。
【００１８】
図１〜図１２は、それぞれ、本発明の好適な実施形態に係る新型ゲームジョイスティックスイッチの斜視図、分解図、分解斜視図、断面図、ベース台の概略構成図、ケース体の概略構成図、金属固定枠の概略構成図、第１連動部材の概略構成図、第２連動部材の概略構成図、ジョイスティック台の概略構成図及びジョイスティックの概略構成図である。
【００１９】
新型ゲームジョイスティックスイッチ１００は、ベース台１０、ジョイスティック台２０、ジョイスティック３０、復帰バネ４０、第１連動部材５０ａ、第２連動部材５０ｂ、押しキースイッチ６０、ケース体７０、第１電気部品８０ａ及び第２電気部品８０ｂを含む。ケース体７０の外側には、金属固定枠９０がリベットで連結される。金属固定枠９０は、本体９１と、本体９１の、第１貫通孔７１に対向する位置に設置されてジョイスティック３０が突出するための第２貫通孔９２と、本体９１の４隅に設置される４つのピン９３及び４つのサイド脚部９５と、本体９１及びサイド脚部９５から形成される収納空間９４とを含む。ケース体７０及びベース台１０は、いずれも収納空間９４に収容される。
【００２０】
ベース台１０の４つのコーナーには、位置決め孔１８がそれぞれ上向きに設置される。ケース体７０の、位置決め孔１８に対応する位置には、位置決め孔１８に嵌合する位置決め柱７２が下向きに設置される。ケース体７０及びベース台１０は、位置決め柱７２及び位置決め孔１８により位置決めして連結される。
【００２１】
ケース体７０の外側に金属固定枠９０をリベットで連結することでケース体７０及びベース台１０を収容し、サイド脚部９５によるリベット固定で両者を強固に締結することができ、ベース台１０及びケース体７０のサイズをより小さくして製品の小型化を実現する。さらに、ケース体７０及びベース台１０のコーナーに位置決め柱７２及び位置決め孔１８をそれぞれ設置し、位置決め柱７２及び位置決め孔１８により、ケース体７０とベース台１０との的確な位置決め連結を実現する。係止孔や係止部材を増設する必要がないため、製品の構造をコンパクトにし、製品の小型化を実現する。ＰＣＢ基板に溶接可能な４つのピン９３を金属固定枠９０にさらに設置することで、ジョイスティックスイッチをＰＣＢ基板上に強固に固定させ、製品の各部品を強固に締結する。
【００２２】
ベース台１０は、底壁１１、底壁１１の縁部から上向きに延びて形成される前側壁１２、後側壁１３、左側壁１４及び右側壁１５を含む。左側壁１４から、収容空間１０４が外向きに延出して形成される。押しキースイッチ６０は、収容空間１０４内に取り付けられる。また、押しキースイッチ６０及びベース台１０は独立して又は一体的に設けられ、１つの部品として設計されることで、部品点数を減らして生産工程を簡略化することができ、その結果、本発明の取り付けを容易にし、構造全体をコンパクトに構成することができる。
【００２３】
第１電気部品８０ａ及び第２電気部品８０ｂは、いずれもベース台１０上に設置されてケース体７０内に位置する。第１電気部品８０ａ及び第２電気部品８０ｂをそれぞれベース台１０上に設置してケース体７０内に位置させることで、本発明の取り付けを容易にし、構造全体をコンパクトに構成し、製品の小型化をさらに実現することができる。
【００２４】
ベース台１０上には、第１支持部１０１及び第２支持部１０２が設置される。第１連動部材５０ａの両端縁から、第１エクステンションアーム５１ａ及び第２エクステンションアーム５２ａがそれぞれ外向きに延出して形成される。第１連動部材５０ａの一端の下縁部は、第１支持部１０１に当接し、第２エクステンションアーム５２ａは、第２支持部１０２に当接する。
【００２５】
ベース台１０上には、第３支持部１０３が設置される。第２連動部材５０ｂの縦方向の一側壁から、接触部５２ｂが外向きに延出して形成され、第２連動部材５０ｂの縦方向の他の側壁から、ボス５３ｂが外向きに延出して形成される。ボス５３ｂは、第３支持部１０３に当接する。接触部５２ｂは、押しキースイッチ６０の上方に位置する。
【００２６】
ベース台１０には、第１取付溝１６及び第２取付溝１７が設置される。第１電気部品８０ａ及び第２電気部品８０ｂは、それぞれ第１取付溝１６及び第２取付溝１７内に挿着される。
【００２７】
第１連動部材５０ａ及び第２連動部材５０ｂは、いずれもベース台１０上に回動可能に取り付けられる。なお、第２連動部材５０ｂは、第１連動部材５０ａの下方に位置するとともに、第１連動部材５０ａに対して直交する方向に配置される。
【００２８】
ジョイスティック台２０は逆Ｔ字状に形成され、底板２１と、底板２１の中央位置から上向きに延びて形成される軸部２２とを含む。底板２１から、周方向に肩部２３が上向きに延出して形成される。肩部２３と軸部２２との間には、上記凹溝２４が形成される。ジョイスティック３０には、軸孔３１が設置される。上記軸部２２は、軸孔３１内に挿入される。ジョイスティック３０の底端面から、上記収容室３２が上方側に窪んで形成される。
【００２９】
第２連動部材５０ｂの横方向の両側壁には、貫通溝５０１ｂが穿設される。ジョイスティック３０の対向する２側壁のそれぞれには、軸支持部３３が外方に向かって凸となって形成される。軸支持部３３は、上下両端が同一半径の円弧状構造に形成され、貫通溝５０１ｂに係合して連結される。
【００３０】
第１電気部品８０ａは、カーボンフィルムポテンショメータであり、第１基板８１ａ及び第１ローター８２ａを含む。第１基板８１ａは、ケース体７０内に位置する。第１ローター８２ａは、第１エクステンションアーム５１ａに取り付けられる。第２電気部品８０ｂは、カーボンフィルムポテンショメータであり、第２基板８１ｂ及び第２ローター８２ｂを含む。第２基板８１ｂは、ケース体７０内に位置する。ボス５３ｂから、アーム部が外向きに延出して形成される。第２ローター８２ｂは、アーム部に取り付けられる。
【００３１】
第１連動部材５０ａは、上向きに湾曲するアーチ状に形成され、長手方向に沿ってスリット孔５０１ａが形成される。第２連動部材５０ｂには、長い溝５１ｂが設置される。ジョイスティック台２０は、ベース台１０上に移動可能に設置される。ジョイスティック３０は、ジョイスティック台２０上に設置され、下方から上方へ長い溝５１ｂ及びスリット孔５０１ａを順に貫通する。
【００３２】
ジョイスティック台２０に凹溝２４が設置され、ジョイスティック３０に収容室３２が設置され、復帰バネ４０が凹溝２４と収容室３２との間に設置され、一部の電気部品の内蔵化を実現し、復帰バネ４０の弾性を良好にし、操作精度を向上させ、製品の小型化をさらに実現することができる。
【００３３】
ケース体７０は、ベース台１０上に取り付けられる。ケース体７０の軸方向には、ジョイスティック３０が突出するための第１貫通孔７１が設置される。
【００３４】
本発明の取付けは次のようにして行われる。
まず、前記押しキースイッチ６０をベース台１０の収納空間内に取り付ける。次に、ジョイスティック台２０をベース台１０上に移動可能に設置し、復帰バネ４０を凹溝２４内に配置する。次に、前記軸孔３１を軸部２２に係合し、これにより、前記軸部２２を軸孔３１内に挿入して前記復帰バネ４０を収容室内に位置させる。次に、第２連動部材５０ｂをベース台１０上に取り付けて前記貫通溝５０１ｂを軸支持部３３に係合して連結するとともに、前記第２連動部材５０ｂのボス５３ｂを第３支持部１０３に当接させる。次に、第１連動部材５０ａを第２連動部材５０ｂの上方に設置して前記第２連動部材５０ｂを第１連動部材に対して直交する方向に配置する。なお、前記第１連動部材５０ａの一端の下縁部を上記第１支持部１０１に当接させ、第２エクステンションアーム５２ａを上記第２支持部１０２に当接させる。次に、第１電気部品８０ａをベース台１０上に設置し、前記第１電気部品８０ａを第１連動部材５０ａの第１エクステンションアーム５１ａに取り付け、前記第２電気部品８０ｂもベース台１０上に設置し、前記第２電気部品８０ｂを第２連動部材５０ｂのアーム部に取り付ける。次に、前記ケース体７０をベース台１０上に取り付けることで、位置決め孔１８及び位置決め柱７２によりベース台１０及びケース体７０を互いに位置決めして連結させる。最後に、ケース体７０の外側に金属固定枠９０をリベットで連結し、サイド脚部９５によってケース体７０及びベース台１０をリベットで固定させ、ピン９３によりゲームジョイスティックスイッチ１００をＰＣＢ基板上に固定して接続する。
【００３５】
本発明の動作原理は以下のとおりである。
動作中、ジョイスティック３０を下向きに押圧した場合は、軸支持部３３から第２連動部材５０ｂに１つの下向きの押圧力を付与することに相当し、これにより、第３支持部１０３を支点として前記第２連動部材５０ｂを下方に傾動させ、前記接触部５２ｂが下方に移動して押しキースイッチ６０に接触し、スイッチをオンにする。また、ジョイスティック３０を離すと、前記第２連動スイッチが復帰バネ４０の弾力によって元の位置に戻り、これにより、接触部５２ｂを押しキースイッチ６０から分離させ、スイッチをオフにする。ジョイスティック３０がＡ−Ａ方向に沿って傾動する場合、前記第２連動部材５０ｂが第３支持部１０３を支点として回動運動し、一方、ジョイスティック３０がＢ−Ｂ方向に沿って傾動する場合、前記第１連動部材５０ａが第１支持部１０１及び第２支持部１０２を支点として回動運動する。
【００３６】
上記をまとめると、本発明の主な特徴は、以下のとおりである。ケース体７０の外側に金属固定枠９０をリベットで連結することでケース体７０及びベース台１０を収容して両者を強固に締結することができ、ベース台１０及びケース体７０のサイズをより小さくして製品の小型化を実現する。また、ケース体７０及びベース台１０のコーナーに位置決め柱７２及び位置決め孔１８をそれぞれ設置し、位置決め柱７２及び位置決め孔１８により、ケース体７０とベース台１０との的確な位置決め連結を実現する。係止孔や係止部材を増設する必要がないため、製品の構造をコンパクトにし、製品の小型化を実現する。ＰＣＢ基板に溶接可能な４つのピン９３を金属固定枠９０にさらに設置することで、ジョイスティックスイッチをＰＣＢ基板上に強固に固定させ、製品の各部品を強固に締結する。さらに、第１電気部品８０ａ及び第２電気部品８０ｂをいずれもベース台１０上に設置してケース体７０内に位置させることで、一部の電気部品の内蔵化を実現することができ、本発明の取り付けを容易にし、構造全体をコンパクトに構成することができる。ジョイスティック台２０に凹溝２４を設置し、ジョイスティック３０に収容室３２を設置し、前記復帰バネ４０を凹溝２４と収容室３２との間に設置することで、復帰バネ４０の弾性を良好にし、操作精度を向上させることができる。
【００３７】
以上より、今回開示された実施の形態はすべての点で例示であって制限的なものではないと考えられるべきである。当業者であれば、本発明の精神から逸脱しない範囲で各種の変更や改良を行うことは、本発明の保護を求める範囲に属するものであることを理解されたい。したがって、本発明の保護範囲は特許請求の範囲の保護範囲に従う。
【図１】
0006422615.tif 000002
【図２】
0006422615.tif 000003
【図３】
0006422615.tif 000004
【図４】
0006422615.tif 000005
【図５】
0006422615.tif 000006
【図６】
0006422615.tif 000007
【図７】
0006422615.tif 000008
【図８】
0006422615.tif 000009
【図９】
0006422615.tif 000010
【図１０】
0006422615.tif 000011
【図１１】
0006422615.tif 000012
【図１２】
0006422615.tif 000013